(57)【要約】【課題】タオルハンガーを掛止具保持部材に対して前面側から着脱することができ、タオルハンガーの取り付け取外し作業が簡単に行える家具のタオルハンガー装置を提供する。【解決手段】家具の前面側に固定したレール状の掛止具保持部材３と、前記掛止具保持部材３にその前面から着脱自在に係止固定する掛止具６が両端に設けられたタオルハンガー４であって、前記掛止具６は、差し込み掛止部８を前記掛止具保持部材３の内部に前面の開口３ｃから挿入することで、係合凹部１０が前壁３ｄの下縁に係合して抜け止め状態になり、差し込み掛止部８に設けた弾性部材９によって、掛止具６を掛止具保持部材３に対しての長さ方向に移動しないように弾力的に固定する。【選択図】図１
2010172540.tif 000002
【特許請求の範囲】
【請求項１】
家具の前面に固定したレール状の掛止具保持部材と、前記掛止具保持部材にその前面から着脱自在に係止固定する掛止具が両端に設けられたタオルハンガーとからなり、
前記掛止具は、前記掛止具保持部材の内部に前面の開口から挿入することで、抜け止め可能な状態に掛止して取付けることができるように形成され、
前記掛止具を、掛止具保持部材に対しての長さ方向に移動しないように弾力的に固定するようにした家具のタオルハンガー。
【請求項２】
上記掛止具保持部材は、内部が中空で前面に開口を有し、この開口の上部が前壁になっている断面形状に形成され、
上記掛止具は、先端でハンガーパイプを支持するアームの後端部に、前記掛止具保持部材の内部に対する差し込み掛止部を設けて形成され、
この差し込み掛止部が、前記掛止具保持部材の内部に前面の開口から挿入しながら、掛止具保持部材の内部で起こすようにすることで、上記前壁に係合して抜け止め状に取付けることができるように形成され、
前記差し込み掛止部に、掛止具保持部材に圧接することで、前記掛止具を掛止具保持部材の長さ方向に移動しないように固定する弾性部材を設けた請求項１に記載の家具のタオルハンガー。
【発明の詳細な説明】
【技術分野】
【０００１】
この発明は、厨房家具等の前面上部にタオル等の長尺物を吊り掛けることができるようにした家具のタオルハンガー装置に関する。
【背景技術】
【０００２】
例えば、キッチン台のような厨房家具や洗面台等の家具において、収納部前扉の前面にタオル等の長尺物を吊り掛けることができる、収納部前扉に取付けるタオルハンガー装置は既に提案されている。
【０００３】
上記従来のタオルハンガー装置は、家具における扉の前面上部に固定したレール状の掛止具保持部材と、前記掛止具保持部材に取付ける掛止具が両端に設けられたタオルハンガーとからなり、掛止具保持部材は、内部が中空で前面に開口を有し、この開口の上部が前壁になっている断面形状に形成され、扉を開閉する把手を兼ねるようになっている（例えば、特許文献１乃至３参照）。
【０００４】
上記タオルハンガーは、ハンガーパイプを支持する掛止具が掛止具保持部材に対して端部の開放端から挿入するような構造になっており、特許文献１では、掛止具保持部材に対する取付け状態で、タオルハンガーを掛止具保持部材の長さ方向に移動可能とし、これによってタオルハンガーを隣の扉に移動させることができるようにしている。
【０００５】
また、特許文献２と３では、掛止具に弾性体を設け、掛止具保持部材の長さ方向へ安易に移動するのを防ぐようにしている。
【先行技術文献】
【特許文献】
【０００６】
【特許文献１】特許第３８７３０７０号公報
【特許文献２】特開２００５−１８００８８号公報
【特許文献３】特開２００８−２６１２２０号公報
【発明の概要】
【発明が解決しようとする課題】
【０００７】
ところで、上記のような従来のタオルハンガー装置は、タオルハンガーが掛止具保持部材の長さ方向へ移動可能になっているので、タオルハンガーに対して不用意な外力が加わると、タオルハンガーが移動することになり、タオルハンガーの取り付け位置が変動するという不都合があると共に、タオルハンガーを取換えたい場合、掛止具保持部材の左右端の何れかにスライドさせて取外す必要があるので、掛止具保持部材の両端にストッパーや障害物があると、一旦扉を開けてストッパーを取外したり障害物を逃がす必要があり、このため、取換え作業に手間がかかることになる。
【０００８】
また、タオルハンガーが掛止具保持部材の長さ方向へ移動しないようにするには、別途ロック機構を設ける必要があり、掛止具の構造が複雑になるだけでなく、タオルハンガーの取り付け取外し時にロック機構の操作が余分に必要となる。
【０００９】
そこで、この発明の課題は、上記のような問題点を解決するため、タオルハンガーを掛止具保持部材に対して前面側から着脱することができるようにし、タオルハンガーの取り付け取外し作業が簡単に行え、しかも、掛止具保持部材に対してタオルハンガーが不用意に移動することがなく、しかも、掛止具保持部材の断面形状が多少変わっても取付けが行える家具のタオルハンガー装置を提供することにある。
【課題を解決するための手段】
【００１０】
上記のような課題を解決するため、この発明は、家具の前面に固定したレール状の掛止具保持部材と、前記掛止具保持部材にその前面から着脱自在に係止固定する掛止具が両端に設けられたタオルハンガーとからなり、前記掛止具は、前記掛止具保持部材の内部に前面の開口から挿入することで、抜け止め可能な状態に掛止して取付けることができるように形成され、前記掛止具を、掛止具保持部材に対しての長さ方向に移動しないように弾力的に固定するようにしたものである。
【００１１】
また、上記掛止具保持部材は、内部が中空で前面に開口を有し、この開口の上部が前壁になっている断面形状に形成され、上記掛止具は、先端でハンガーパイプを支持するアームの後端部に、前記掛止具保持部材の内部に対する差し込み掛止部を設けて形成され、この差し込み掛止部が、前記掛止具保持部材の内部に前面の開口から挿入しながら、掛止具保持部材の内部で起こすようにすることで、上記前壁に係合して抜け止め状に取付けることができるように形成され、前記差し込み掛止部に、掛止具保持部材へ圧接することで、前記掛止具を掛止具保持部材の長さ方向に移動しないように固定する弾性部材を設けた構造とすることができる。
【００１２】
ここで、上記掛止具保持部材は、アルミや合成樹脂を用い、断面略角形のレール状に形成され、厨房家具等の扉における上部に固定され、その中空内部は下面が後方へ上りの緩い傾斜面となり、前面が長さ方向の全長にわたって開口し、この開口の上部が下向きの前壁になっている。
【００１３】
上記掛止具の後端に設けた差し込み掛止部は、掛止具保持部材の中空内部に納まる形状となり、開口から中空内部に差し込んで起こすようにすると、その下縁が中空内部の傾斜面上に載り、上端部の前側に設けた略Ｖ字状の係合凹部が前壁の下縁に係合し、前方への抜け止め状態となる。
【００１４】
上記差し込み掛止部が掛止具保持部材に納まる状態で、上記アームは差し込み掛止部から斜め下向き前方へ突出し、その重量が差し込み掛止部に対して、傾斜面上に載る下縁を支点とする前傾方向に作用するため、係合凹部と前壁の係合状態が保持され、差し込み掛止部の前方への抜け止め状態が保たれることになる。
【００１５】
また、掛止具保持部材に対して掛止具を移動しないように固定する弾性部材は、差し込み掛止部の上部に設けた上ばね式と差し込み掛止部の下部に設けた下ばね式の何れかを採用することができる。
【００１６】
上ばね式の弾性部材は、差し込み掛止部の上部に設けた係合凹部に対して下側に可動となる弾性板によって形成され、掛止具保持部材に差し込み掛止部を差込んだ状態で、前記弾性板が前壁の下縁に圧接して差し込み掛止部を押し下げ、差し込み掛止部を掛止具保持部材の長さ方向に移動しないように固定するようになっている。
【００１７】
上記下ばね式の弾性部材は、差し込み掛止部の下部に下向きの弾性を有する弾性板によって形成され、掛止具保持部材に差し込み掛止部を差し込んだ状態で、この弾性板が中空内部の傾斜面に圧接し、差し込み掛止部を押し上げることで、掛止具保持部材の長さ方向に移動しないように固定するようになっている。
【発明の効果】
【００１８】
この発明によると、家具の前面に固定した掛止具保持部材に対して、タオルハンガーを前面側から着脱することができるようにしたので、掛止具保持部材の両端に障害物がある場合でも、タオルハンガーの取り付け取外し時に扉を一々開く必要がなく、掛止具保持部材の取り付けたい位置へ直接取付けることができるので、タオルハンガーの取り付け取外し作業が簡単に能率よく行えることになる。
【００１９】
また、差し込み掛止部に、掛止具を掛止具保持部材の長さ方向に移動しないように固定する弾性部材を設けたので、掛止具保持部材に対してタオルハンガーを固定化することができ、掛止具保持部材に対してタオルハンガーが不用意に移動することがない取付けが得られることになる。
【００２０】
更に、差し込み掛止部を弾性部材で固定化するので、差し込み掛止部に別途ロック機構を設ける必要がなく、構造の簡略化が図れると共に、差し込み掛止部の上部前側の係合凹部を前壁に係合させて固定するので、掛止具保持部材の奥行き等の断面形状が多少変わってもタオルハンガーの取付けが行えることになる。
【図面の簡単な説明】
【００２１】
【図１】（ａ）はこの発明に係るタオルハンガー装置において、差し込み掛止部に設ける弾性部材に上ばね式を採用したタオルハンガー取り付け前の分解斜視図、（ｂ）は同じくタオルハンガー取り付け状態を示す斜視図
【図２】（ａ）は差し込み掛止部に設ける弾性部材に上ばね式を採用したタオルハンガーの斜視図、（ｂ）はこのタオルハンガーにおける掛止具の要部を切り欠いた縦断側面図
【図３】差し込み掛止部に設ける弾性部材に上ばね式を採用したタオルハンガーを掛止具保持部材に固定した状態を示し、（ａ）は掛止具保持部材の奥行き幅が広い場合の縦断側面図、（ｂ）は掛止具保持部材の奥行き幅が狭い場合の縦断側面図
【図４】（ａ）は差し込み掛止部に設ける弾性部材に下ばね式を採用したタオルハンガーの斜視図、（ｂ）はこのタオルハンガーにおける掛止具の要部を切り欠いた縦断側面図
【図５】差し込み掛止部に設ける弾性部材に下ばね式を採用したタオルハンガーを掛止具保持部材に固定した状態を示し、（ａ）は掛止具保持部材の奥行き幅が広い場合の縦断側面図、（ｂ）は掛止具保持部材の奥行き幅が狭い場合の縦断側面図
【発明を実施するための形態】
【００２２】
以下、この発明の実施の形態を添付図面に基づいて説明する。
【００２３】
図１（ａ）、（ｂ）のように、タオルハンガー装置１は、キッチン台等の厨房家具における扉２の前面上部に固定したレール状の掛止具保持部材３と、この掛止具保持部材３に前面側から着脱自在に取付けるタオルハンガー４とからなり、前記掛止具保持部材３は、アルミや合成樹脂を用い、断面略角形のレール状に形成され、扉２における上面にビス止め等の手段で固定され、その中空内部３ａは下面が後方へ上りの緩い傾斜面３ｂとなり、前面が長さ方向の全長にわたって開口３ｃし、この開口３ｃの上部が下向きの前壁３ｄになり、扉２を開閉する把手を兼ねるようになっている。
【００２４】
上記タオルハンガー４は、所定の長さを有するハンガーパイプ５の両端に一対となる掛止具６を設けて形成され、この掛止具６は、合成樹脂や金属を用い、図１乃至図３では、掛止具保持部材３の長さ方向に沿って幅を有する断面下向きコ字形の棒状に、また、図４と図５では、内部が中実の棒状になっており、先端でハンガーパイプ５を支持するアーム７の後端部に、前記掛止具保持部材３の内部に対する差し込み掛止部８を設け、この差し込み掛止部８に、前記掛止具６を掛止具保持部材３の長さ方向に移動しないように固定する弾性部材９を設けた構造になっている。
【００２５】
この差し込み掛止部は、図３のように、掛止具保持部材３の中空内部３ａに納まる形状となり、開口３ｃから中空内部３ａに差し込んで起こすようにすると、その下縁が中空内部３ａの傾斜面３ｂ上に載り、上端部の前側に設けた略Ｖ字状の係合凹部１０が前壁３ｄの下縁に係合し、前記掛止具保持部材３の前方へ抜け止め状態で取り付けることができるようになっている。
【００２６】
図３のように、上記差し込み掛止部８が掛止具保持部材３に納まる状態で、上記アーム７は差し込み掛止部８から斜め下向き前方へ突出し、その重量が差し込み掛止部８に対して、傾斜面３ｂ上に載る下面を支点とする前傾方向に作用するため、係合凹部１０と前壁３ｄの係合状態が保持され、差し込み掛止部８の前方への抜け止め状態が保たれることになる。
【００２７】
上記掛止具保持部材３に対して掛止具６を移動しないように固定する弾性部材９は、掛止具保持部材３への圧接により、掛止具６が掛止具保持部材３の長さ方向に移動しないようにするものであり、この弾性部材９を、差し込み掛止部８の上部に設けた上ばね式と、差し込み掛止部の下部に設けた下ばね式の何れかを採用することができる。
【００２８】
上ばね式の弾性部材９は、図１乃至図３に示すように、差し込み掛止部８の係合凹部１０を設けた部分の前面側位置に、差し込み掛止部８の上壁１２から前壁にわたるコ字状の切り欠き１１を係合凹部１０とラップするように設け、この切り欠き１１で囲んだ部分が、上壁１２から前方に向かって突出してその先端が下向きに屈曲し、下向き屈曲部の下端に前方屈曲片９ａを設けた弾性板９ｂに形成され、図２（ｂ）のように、前記弾性板９ｂは、自然状態で前方屈曲片９ａの上面が係合凹部１０の上面開口の高さに位置し、下側に向けて可動となって上方への復帰弾性を備え、掛止具保持部材３に差し込み掛止部８を差し込んだ状態で、前記弾性板９ｂの前方屈曲片９ａが前壁３ｄの下縁に圧接して差し込み掛止部８を押し下げ、この差し込み掛止部８を掛止具保持部材３の長さ方向に移動しないように固定するようになっている。
【００２９】
また、下ばね式の弾性部材９は、図４と図５のように、差し込み掛止部８の下部に、三辺が差し込み掛止部８の下部における凹窪部１３で囲まれた弾性板９ｃによって形成され、この弾性板９ｃは、図４（ｂ）のように、自然状態で差し込み掛止部８の下面から下方に突出し、掛止具保持部材３に差し込み掛止部８を差し込んだ状態で、この弾性板９ｃが中空内部３ａの傾斜面３ｂに圧接し、差し込み掛止部８を押し上げることで、掛止具保持部材３の長さ方向に移動しないように固定するようになっている。
【００３０】
この発明のタオルハンガー装置１は、上記のような構成であり、掛止具保持部材３は、キッチン台、包丁フラップ、流し台等の厨房家具や洗面台等の扉や前板の上部に取り付け、その溝形断面形状により、扉や前板の開閉に利用する。
【００３１】
上記扉２や前板の上部に固定した掛止具保持部材３にタオルハンガー４を取付けるには、図１（ａ）のように、掛止具保持部材３の前面部にタオルハンガー４を臨ませ、タオルハンガー４の両側掛止具６の差し込み掛止部８を寝かせた姿勢で開口３ｃから掛止具保持部材３の内部に差し入れ、前記差し込み掛止部８が掛止具保持部材３の内部で起きるようにタオルハンガー４全体を下向きに回動させる。
【００３２】
掛止具保持部材３の内部で差し込み掛止部８が起きた状態になると、図３のように、差し込み掛止部８の下面が傾斜面３ｂの上に載り、上部の係合凹部１０が前壁３ｄの下縁に係合し、差し込み掛止部８は、掛止具保持部材３に対して前方に向けて抜け止め状態となり、アーム７は差し込み掛止部８から斜め下向き前方へ突出し、図１（ｂ）のように、扉２の前方に位置するハンガーパイプ５にタオルａを掛けることができる。
【００３３】
このように、掛止具保持部材３へのタオルハンガー４の取り付けが、掛止具保持部材３の前側から、差し込み掛止部８を差し込むだけで行えるので、タオルハンガー４を所望する取り付け位置に対して直接取付けることができ、取り付け作業がワンタッチで能率よく行えると共に、掛止具保持部材３の両端に障害物があるような場合でも、一々扉２を開かずに取り付けが行えることになる。
【００３４】
上記のように、掛止具保持部材３の内部に差し込み掛止部８が納まると、上ばね式では図３（ａ）と（ｂ）のように、弾性部材９が前壁３ｄの下縁へ弾力的に圧接し、また、下ばね式では図５（ａ）と（ｂ）のように、弾性部材９が傾斜面３ｂへ弾力的に圧接し、差し込み掛止部８が掛止具保持部材３に固定化され、これによって、タオルハンガー４は、外部から外力が加わっても掛止具保持部材３の長さ方向に不用意に移動することがない。
【００３５】
また、タオルハンガー４を取外す場合は、上記した取り付け時とは逆に、タオルハンガー４全体を、弾性部材９の弾性に抗して上方に回動させるようにしながら手前に引くようにし、差し込み掛止部８を掛止具保持部材３の内部から抜き取るようにすればよく、タオルハンガー４を扉２の前方に直接取外すことができるので、掛止具保持部材３の両端に障害物があるような場合でも、一々扉２を開かずに取り外しが行え、作業性の向上が図れることになる。
【００３６】
この発明のタオルハンガー装置１は、上記のように、差し込み掛止部８を掛止具保持部材３に弾性部材９で固定化するので、タオルハンガー４の固定のために、差し込み掛止部８に別途ロック機構を設ける必要がなく、構造の簡略化が図れることになる。
【００３７】
上記掛止具保持部材３は、厨房家具の仕様によって多少異なる場合があり、例えば、扉２の厚みが異なる場合、図３（ａ）と図５（ａ）のように扉２の厚みが厚いときは掛止具保持部材３の前後奥行きの幅が広くなり、図３（ｂ）と図５（ｂ）のように扉２の厚みが薄いときは掛止具保持部材３の前後奥行きの幅が狭くなる。
【００３８】
ところで、この発明のタオルハンガー装置１は、差し込み掛止部８の上部前側に設けた係合凹部１０を前壁３ｄに係合させ、掛止具保持部材３の上下と前部で固定するので、差し込み掛止部３の奥行き寸法の設定には融通性があり、従って、差し込み掛止部８の奥行き寸法を前後の幅が狭い掛止具保持部材３に対応するものにすれば、前後の幅が広い掛止具保持部材にもそのまま使用することができることになる。
【符号の説明】
【００３９】
１        タオルハンガー装置
２        扉
３        掛止具保持部材
４        タオルハンガー
５        ハンガーパイプ
６        掛止具
７        アーム
８        差し込み掛止部
９        弾性部材
１０      係合凹部
１１      切り欠き
１２      上壁
１３      凹窪部
【図１】
2010172540.tif 000003
【図２】
2010172540.tif 000004
【図３】
2010172540.tif 000005
【図４】
2010172540.tif 000006
【図５】
2010172540.tif 000007